(57)【要約】【課題】本発明の課題は、熱交面積を確保しつつ、電線及び配管に関わるコスト増大の抑制と、組立性及びメンテナンス性の向上とを両立した室外機を提供することにある。【解決手段】室外機１００では、電装品箱４０のうち小奥行き部４１は上部第１熱交換部３１ａと対向するものの、両者の間に隙間Ｇが設けられているので、熱交換面積の減少にはならず且つ小奥行き部４１の存在によって下部第１熱交換部３１ｂへの空気の流通が増加する。その結果、小奥行き部４１と上部第１熱交換部３１ａとが対向していない構成との対比において、同等程度の熱交換量が確保される。【選択図】図２
2016099054.tif 000002
【特許請求の範囲】
【請求項１】
側面から吸い込んだ空気を上方へ吹き出す、上吹き型の室外機であって、
立方体形状のケーシング（２０）と、
前記ケーシング内に収納され、前記ケーシングの４側面それぞれに対向するように配置される熱交換器（３０）と、
前記ケーシング内に収納される電装品箱（４０）と、
を備え、
前記熱交換器（３０）は、前記ケーシングの前記４側面のうち正面に相当する第１面（２１）に対向して配置される第１熱交換部（３１）を有し、
前記電装品箱（４０）は、
前記第１面（２１）と前記第１熱交換部（３１）との間において前記第１熱交換部（３１）と対向する小奥行き部（４１）と、
前記第１面（２１）のうち前記第１熱交換部（３１）と対向しない部分において前記第１熱交換部（３１）の側方に並ぶ大奥行き部（４２）と、
を有し、
前記第１熱交換部（３１）と前記小奥行き部（４１）との間に所定隙間（Ｇ）が確保されている、
室外機（１００）。
【請求項２】
前記小奥行き部（４１）は、前記第１熱交換部（３１）の上部と対向する、
請求項１に記載の室外機（１００）。
【請求項３】
前記所定隙間（Ｇ）は、前記第１熱交換部（３１）の厚み寸法の５０％以上に設定されている、
請求項１又は請求項２に記載の室外機（１００）。
【請求項４】
前記小奥行き部（４１）の高さ寸法は、前記第１熱交換部の高さ寸法の２０％以上に設定されている、
請求項１又は請求項２に記載の室外機。
【請求項５】
前記第１熱交換部（３１）は、前記小奥行き部（４１）に対向する上部（３１ａ）と、前記小奥行き部（４１）に対向しない下部（３１ｂ）とに分割されている、
請求項２に記載の室外機（１００）。
【請求項６】
前記第１熱交換部（３１）は、その一側端が前記第１面（２１）から離れる方向に傾斜している、
請求項１から請求項４のいずれか１項に記載の室外機（１１０）。
【請求項７】
前記電装品箱（４０）は、弱電部品が実装されている基板を前記小奥行き部（４１）に収納し、強電部品が実装されている基板を前記大奥行き部（４２）に収容する、
請求項１から請求項６のいずれか１項に記載の室外機（１００，１１０）。
【発明の詳細な説明】
【技術分野】
【０００１】
本発明は、室外機、特に制御基板等の電気部品が収納された電装品箱が配置される室外機に関する。
【背景技術】
【０００２】
室外機の小型・高性能化を実現する上で、熱交換器の配置及び電装品箱のレイアウトは重要である。例えば、熱交面積を十分に確保するために、特許文献１（特開２００７−２１８５３４号公報）に記載の室外機は電装品箱を上部に搭載し、特許文献２（特開２０１３−７６４７８号公報）に記載の室外機は電装品箱を角部に収納している。
【発明の概要】
【発明が解決しようとする課題】
【０００３】
しかしながら、特許文献１（特開２００７−２１８５３４号公報）に記載の室外機では、電装品箱を上部に搭載したことによって、電装品箱までの電線が長くなる上にメンテナンス性が低下する。また、特許文献２（特開２０１３−７６４７８号公報）に記載の室外機では、電装品箱を角部に収納したことによって、構造が複雑になる上に放熱設計が難しい。
【０００４】
本発明の課題は、熱交面積を確保しつつ、電線及び配管に関わるコスト増大の抑制と、組立性及びメンテナンス性の向上とを両立した室外機を提供することにある。
【課題を解決するための手段】
【０００５】
本発明の第１観点に係る室外機は、側面から吸い込んだ空気を上方へ吹き出す、上吹き型の室外機であって、立方体形状のケーシングと、ケーシング内に収納される熱交換器と、ケーシング内に収納される電装品箱とを備えている。熱交換器は、ケーシングの４側面それぞれに対向するように配置される。また、熱交換器は、ケーシングの４側面のうち正面に相当する第１面に対向して配置される第１熱交換部を有している。電装品箱は、小奥行き部と、大奥行き部とを有している。小奥行き部は、第１面と第１熱交換部との間において第１熱交換部と対向する。大奥行き部は、第１面のうち第１熱交換部と対向しない部分において第１熱交換部の側方に並ぶ。そして、第１熱交換部と小奥行き部との間に所定隙間が確保されている。
【０００６】
この室外機では、電装品箱のうち小奥行き部は第１熱交換部と対向するものの、両者の間に隙間が設けられているので、熱交換面積の減少にはならない。その結果、小奥行き部と第１熱交換部とが対向していない構成との対比において、同等程度の熱交換量が確保される。
【０００７】
本発明の第２観点に係る室外機は、第１観点に係る室外機であって、小奥行き部が、第１熱交換部の上部と対向している。
【０００８】
この室外機では、第１熱交換部の上部と対向する小奥行き部の存在によって第１熱交換部の下部への空気の流通が増加する。
【０００９】
本発明の第３観点に係る室外機は、第１観点又は第２観点に係る室外機であって、所定隙間が第１熱交換部の厚み寸法の５０％以上に設定されている。
【００１０】
本発明の第４観点に係る室外機は、第１観点又は第２観点に係る室外機であって、小奥行き部の高さ寸法は、第１熱交換部の高さ寸法の２０％以上に設定されている。
【００１１】
本発明の第５観点に係る室外機は、第２観点に係る室外機であって、第１熱交換部が、小奥行き部に対向する上部と、小奥行き部に対向しない下部とに分割されている。
【００１２】
この室外機では、第１熱交換部を上部と下部とに分割したことによって、第１熱交換部の上部と小奥行き部との間の隙間を一定寸法に設定し易くなる。
【００１３】
本発明の第６観点に係る室外機は、第１観点から第４観点のいずれか１つに係る室外機であって、第１熱交換部が、その一側端が第１面から離れる方向に傾斜している。
【００１４】
この室外機では、第１熱交換部と小奥行き部との間の隙間は横に行くほど大きくなるので、一定寸法に設定することはできないが、熱交換器の製造コストを低減することができる。
【００１５】
本発明の第７観点に係る室外機は、第１観点から第６観点のいずれか１つに係る室外機であって、電装品箱が、弱電部品が実装されている基板を小奥行き部に収納し、強電部品が実装されている基板を大奥行き部に収容する。
【００１６】
この室外機では、発熱量の大きいパワーデバイスを、小奥行き部よりも通風量が大きい大奥行き部に配置することによって、適切な放熱性を確保することができる。
【発明の効果】
【００１７】
本発明の第１観点、第３観点及び第４観点のいずれかに係る室外機では、電装品箱のうち小奥行き部は第１熱交換部と対向するものの、両者の間に隙間が設けられているので、熱交換面積の減少にはならない。その結果、小奥行き部と第１熱交換部とが対向していない構成との対比において、同等程度の熱交換量が確保される。
【００１８】
本発明の第２観点に係る室外機では、第１熱交換部の上部と対向する小奥行き部の存在によって第１熱交換部の下部への空気の流通が増加する。
【００１９】
本発明の第５観点に係る室外機では、第１熱交換部を上部と下部とに分割したことによって、第１熱交換部の上部と小奥行き部との間の隙間を一定寸法に設定し易くなる。
【００２０】
本発明の第６観点に係る室外機では、第１熱交換部と小奥行き部との間の隙間は横に行くほど大きくなるので、一定寸法に設定することはできないが、熱交換器の製造コストを低減することができる。
【００２１】
本発明の第７観点に係る室外機では、発熱量の大きいパワーデバイスを、小奥行き部よりも通風量が大きい大奥行き部に配置することによって、適切な放熱性を確保することができる。
【図面の簡単な説明】
【００２２】
【図１】本発明の一実施形態に係る室外機の外観斜視図。
【図２】図１において正面板の一部を破断させて内部を可視化させた状態の室外機の外観斜視図。
【図３】室外機を図１の天板側から視て、且つ天板、送風ファン等を除いた状態の当該室外機の平面図。
【図４】室外機を図１の右側面板側から視て、且つ右側面板、熱交換器、圧縮機等を除いた状態の当該室外機の側面図。
【図５】電装品箱の外観斜視図。
【図６】電装品箱の小奥行き部と熱交換器の上部第１熱交換部の隙間Ｇと熱交換器を通過する空気の風速ｖとの関係を測定するための実験装置を示す平面図。
【図７】電装品箱と第１熱交換部との隙間Ｇと、風速測定部を通過する空気の風速ｖとの関係を示すグラフ。
【図８】第１変形例に係る室外機を天板側から視て、且つ天板、送風ファン等を除いた状態の当該室外機の平面図。
【図９】第２変形例に係る室外機を右側面板側から視て、且つ右側面板、熱交換器、圧縮機等を除いた状態の当該室外機の側面図。
【発明を実施するための形態】
【００２３】
以下、図面を参照しながら、本発明の実施形態について説明する。なお、以下の実施形態は、本発明の具体例であって、本発明の技術的範囲を限定するものではない。
【００２４】
（１）室外機１００の構成
図１は、本発明の一実施形態に係る室外機１００の外観斜視図である。図１において、室外機１００は、外殻を形成するケーシング２０を備え、さらにそのケーシング２０に収容される熱交換器３０、圧縮機３３（図２参照）、電装品箱４０、及び横ステー４５，４６を備えている。室外機１００は、空気を側面から吸入して熱交換した後に天面から吹き出すタイプである。
【００２５】
（１−１）ケーシング２０
ケーシング２０は、略直方体形状であり、主として、４つの角部にそれぞれ配置される支柱２０１〜２０４と、正面板２１と、左側面板２２と、背面板２３と、右側面板２４と、天板２５と、底板２６（図２参照）とから構成されている。
【００２６】
そして、ケーシング２０の左側面板２２、支柱２０１及び支柱２０２は一体に成形され、右側面板２４、支柱２０３及び支柱２０４が一体に成形されている。なお、明細書中において「左右」をいうときには、正面側から見た場合を基準とするものとする。
【００２７】
左側面板２２及び右側面板２４には、室外機１００のケーシング２０内に空気を吸い込むための空気吸込口２０ａが設けられている。空気吸込口２０ａは、正面板２１及び天板２５近傍を除く左側面板２２及び右側面板２４の全面に形成された複数の開口から成る。また、背面板２３は、格子状の軟骨線のグリルとなっており、背面板２３を介したケーシング２０内への空気の吸い込みも可能となっている。
【００２８】
正面板２１は、支柱２０１及び支柱２０４の外側に装着される。また、背面板２３は、支柱２０２及び支柱２０３の外側に装着される。また、上下方向に延びる２本の支柱２０１及び支柱２０４には、その中央部付近に中央部横ステー４５が、さらに上部付近には上部横ステー４６が架けられている。支柱２０１及び支柱２０４は、中央部横ステー４５及び上部横ステー４６によって互いに連結されている。
【００２９】
ケーシングの天板２５は、その外周縁部が支柱２０１〜２０４あるいは左側面板２２、右側面板２４及び背面板２３に固定されている。天板２５には、円孔が開けられている。この円孔は、送風ファン３６，３７の羽根車の周囲に配置される略円筒形状のベルマウス２７に対応するし、ベルマウス２７とともに室外機１００の空気吹出口２０ｂを形成している。そして、空気吹出口２０ｂを覆うようにして格子状の軟鋼線のファンカバー（図示せず）が取り付けられる。
【００３０】
また、正面板２１は、天板２５の下側に配置される上部正面板２１ａと、上部正面板２１ａの下側かつ左側に配置される左側中部正面板２１ｂと、左側中部正面板２１ｂの下側に配置される左側下部正面板２１ｃと、上部正面板２１ａの下側かつ右側に配置される右側中部正面板２１ｄと、右側中部正面板２１ｄの下側に配置される右側下部正面板２１ｅとから構成されている。このように、正面板２１は、上中下又は左右に５分割の構造になっている。
【００３１】
図２は、図１において正面板２１の一部を破断させて内部を可視化させた状態の室外機の外観斜視図である。図２において、底板２６上には、熱交換器３０や圧縮機３３等の機器やこれらの機器を接続する配管等の室外側冷媒回路を構成する機器及び配管類が据え付けられている。すなわち、室外側冷媒回路を構成する機器及び配管類は、主として、ケーシング２０の下部に配置されている。
【００３２】
（１−２）熱交換器３０
熱交換器３０は、左側面板２２、背面板２３、右側面板２４及び正面板２１に対向するように配置される。そして、熱交換器３０のパイプの内部を流れる冷媒と、左側面板２２及び右側面板２４に形成された空気吸込口２０ａ、グリル形状の背面板２３を介してケーシング２０内へ吸入された空気との間で熱交換が行われる。  図３は、室外機１００を図１の天板２５側から視て、且つ天板２５、送風ファン３６，３７等を除いた状態の当該室外機１００の平面図である。図３において、熱交換器３０は、第１熱交換部３１を有している。第１熱交換部３１は、ケーシング２０の正面板２１に対向して配置されている。
【００３３】
また、第１熱交換部３１は、上部第１熱交換部３１ａと、下部第１熱交換部３１ｂとに分割されている。上部第１熱交換部３１ａは、図２及び図３に示すように電装品箱４０に対向している。
【００３４】
また、下部第１熱交換部３１ｂは、上部第１熱交換部３１ａの下方に位置しており、電装品箱４０と対向していないので、その分だけ正面板２１に近接している。
【００３５】
（１−３）圧縮機３３
圧縮機３３は、インバータにより回転数制御が為される１台の容量可変のインバータ圧縮機３３ａと、オンオフ制御が為される２台の定容量圧縮機３３ｂ，３３ｃとが組み合わされたものである。
【００３６】
（１−４）送風ファン３６，３７
送風ファン３６，３７は、プロペラファンであり、ケーシング２０の上部に設けられた空気吹出口２０ｂ付近に配置されている。送風ファン３６，３７は、複数のプロペラ翼３６ａ，３７ａと、プロペラ翼３６ａ，３７ａの内周部を固定するハブ３６ｂ，３７ｂと、ハブ３６ｂ，３７ｂを回転駆動するファンモータ３６ｃ，３７ｃと、を有している。
【００３７】
送風ファン３６，３７が駆動されると、ケーシング２０内部に気流が形成される。すなわち、空気が側面板２２，２４及び背面板２３を介してケーシング２０の外部から内部へと吸い込まれ、熱交換器３０を通り抜けて送風ファン３６，３７の近傍の空間に達し、その後、空気吹出口２０ｂを介してケーシング２０の内部から外部へと吹き出されることになる。
【００３８】
（１−５）電装品箱４０
図４は、室外機１００を図１の右側面板２４側から視て、且つ右側面板２４、熱交換器３０、圧縮機３３等を除いた状態の当該室外機１００の側面図である。図４において、電装品箱４０は、右側中部正面板２１ｄの裏において、電装品箱４０が中央部横ステー４５及び上部横ステー４６によって支持されている。電装品箱４０には、インバータや制御基板等の各種電気部品が収納されている。
【００３９】
電装品箱４０は、右側中部正面板２１ｄを取り外すことにより室外機１００の正面側からアクセス可能である。
【００４０】
図５は、電装品箱４０の外観斜視図である。図５において、電装品箱４０は、箱本体４３０と、蓋部材４４０とを有している。箱本体４３０は、一方向が開口し、その開口に対向する底面が段上に成形された箱状の部材である。蓋部材４４０は、箱本体４３０の開口を覆うように配置される板状の部材である。蓋部材４４０は、ネジ止めによって箱本体４３０に固定される。電装品箱４０は箱本体４３０の開口が蓋部材４４０で塞がれた状態で、蓋部材４４０が鉛直方向になるようにケーシング２０に据付けられる。
【００４１】
箱本体４３０は、蓋部材４４０が嵌め込まれる枠縁４３１と、枠縁４３１に対向する底面部４３２と、枠縁４３１の各辺と対向する底面部４３２の各辺とを繋ぐ４つの側面を有する。４つの側面は、蓋部材４４０側から視て上側面４３３ａ、右側面４３３ｂ、下側面４３３ｃ、左側面４３３ｄから成る。
【００４２】
箱本体４３０の上側面４３３ａには、固定部材４３４が取り付けられている。固定部材４３４は、上部横ステー４６に対して電装品箱４０を固定する（図４参照）。
【００４３】
箱本体４３０の底面部４３２は、枠縁４３１からの奥行きが浅い浅底面４３２ａ、枠縁４３１からの奥行きが深い深底面４３２ｂ、及び浅底面４３２ａと深底面４３２ｂとを結ぶ繋ぎ面４３２ｃから成る。
【００４４】
蓋部材４４０の上端は、上方かつ電装品箱４０の内部へと向かって傾斜しており、蓋部材４４０が箱本体４３０にはめ込まれた状態において、上端付近に開口部４４１が形成され、電装品箱４０の手前側空間と電装品箱４０の外部とが連通する。
【００４５】
蓋部材４４０には、開口部４４１の右下に窓部４４２が設けられている。窓部４４２は使用時には蓋がされているが、点検時等にはその蓋を外すことが可能である。例えば、制御基板上のスイッチが窓部４４２に対向するように配置されることによって、サービスパーソンがスイッチを操作して点検用の運転モードに切り替えることができる。
【００４６】
（１−５−１）小奥行き部４１と大奥行き部４２
ここで、図５において繋ぎ面４３１ｃを通る鉛直面を仮想鉛直面Ｐとし、仮想鉛直面Ｐから右側面４３３ｂ側にある部分を小奥行き部４１とよび、仮想鉛直面Ｐから左側面４３３ｄ側にある部分を大奥行き部４２とよぶ。
【００４７】
図２及び図３に示すように、熱交換器３０の第１熱交換部３１のうち、上部第１熱交換部３１ａが小奥行き部４１に隙間Ｇを隔てて対向している。隙間Ｇは、上部第１熱交換部３１ａの厚み寸法ｔの５０％以上に設定され、本実施形態では２０ｍｍ〜４０ｍｍ程度に設定されている。
【００４８】
（１−５−２）隙間Ｇの設定根拠
図６は、電装品箱４０の小奥行き部４１と熱交換器３０の上部第１熱交換部３１ａとの隙間Ｇと熱交換器３０を通過する空気の風速ｖとの関係を測定するための実験装置を示す平面図である。
【００４９】
図６において、実験装置１００Ｍは、ケーシング２０Ｍ、熱交換器３０Ｍ、送風ファン３６Ｍ及び電装品箱４１Ｍを備えている。ケーシング２０Ｍは、略直方体形状であり、熱交換器３０Ｍ、送風ファン３６Ｍ及び電装品箱４１Ｍを収納している。
【００５０】
なお、図示していないが、ケーシング２０Ｍの左側面板及び右側面板には、本実施形態のケーシング２０と同様の空気吸込口が設けられている。また、背面板は、本実施形態のケーシング２０と同様、格子状の軟骨線のグリルとなっており、背面板を介したケーシング２０Ｍ内への空気の吸い込みも可能となっている。
【００５１】
熱交換器３０Ｍは、左側面板、背面板、右側面板及び正面板に対向するように配置されている。熱交換器３０Ｍは、本実施形態の第１熱交換部３１に相当する第１熱交換部３１Ｍを有している。第１熱交換部３１は、ケーシング２０Ｍの正面板に対向して配置されている。
【００５２】
送風ファン３６Ｍは、プロペラファンであり、ケーシング２０Ｍの上部に設けられた空気吹出口付近に配置されている。
【００５３】
電装品箱４１Ｍは、本実施形態の電装品箱４０の小奥行き部４１を模した形状を成している。第１熱交換部３１Ｍは、上端から鉛直下方４０ｃｍの高さ位置に渡って電装品箱４１Ｍと隙間Ｇを隔てて対向しており、この部分を風速測定部とする。また、隙間Ｇは、０〜１００ｍｍまで可変である。
【００５４】
上記のような構成の実験装置１００Ｍにおいて、先ず電装品箱４１Ｍが無い状態で風速測定部に風速０．９５ｍ／ｓの空気が通過するように送風ファン３６を稼動させる。次に、電装品箱４１Ｍと第１熱交換部３１Ｍとの隙間Ｇを２０ｍｍ、４０ｍｍ、８０ｍｍと変えて、風速測定部の風速を測定する。そして、その結果が図７に示す「電装品箱４１Ｍと第１熱交換部３１Ｍとの隙間Ｇと、風速測定部を通過する空気の風速ｖとの関係を示すグラフ」である。
【００５５】
図７において、隙間Ｇ＝２０ｍｍのときは風速ｖ＝０．８ｍ／ｓであり電装品箱４１Ｍが無い状態と比べて１５％のダウンである。また、隙間Ｇ＝４０ｍｍのときは風速ｖ＝０．９０ｍ／ｓであり電装品箱４１Ｍが無い状態と比べて５％の風量ダウンである。さらに、隙間Ｇ＝８０ｍｍのときは風速ｖ＝０．９５ｍ／ｓであり変化はない。
【００５６】
今回、隙間Ｇ＝２０ｍｍにおける風速ｖの１５％のダウン、及び隙間Ｇ＝４０ｍｍにおける風速ｖの５％のダウンが許容できるか否かの判断について、熱交全面で風量ダウンが５％未満か否かを基準とした。
【００５７】
詳細な計算方法は割愛するが、隙間Ｇ＝２０ｍｍにおける風速ｖの１５％ダウンは風量２．１％ダウンに相当し、隙間Ｇ＝４０ｍｍにおける風速ｖの５％ダウンは風量０．７％ダウンに相当する。したがって、隙間Ｇ＝２０ｍｍ〜４０ｍｍであれば、熱交換面積の減少にはならず、採用可能である。
【００５８】
上記の通り、小奥行き部４１は上部第１熱交換部３１ａと対向するものの、両者の間に隙間Ｇが設けられているので、熱交換面積の減少にはならない。
【００５９】
また、小奥行き部４１の高さ寸法ｈは、上部第１熱交換部３１ａの上端から下部第１熱交換部３１ｂの下端までの鉛直距離、すなわち第１熱交換部３１の高さ寸法Ｈの２０％以上に設定されている。
【００６０】
本実施形態では、小奥行き部４１は弱電部品が実装されている基板を収納し、大奥行き部４２は強電部品が実装されている基板を収容している。
【００６１】
（２）室外ユニットにおける運転時の気流
室外機１００の運転中は、送風ファン３６，３７が駆動されることにより、左側面板２２と右側面板２４に形成された空気吸込口２０ａ及び格子状のグリルとなっている背面板２３を介して、ケーシング２０内に空気が吸入される。ケーシング２０内に吸入された空気は、左側面板２２、右側面板２４及び背面板２３に対向して設けられた熱交換器３０を通過する（図３の白塗り矢印参照）。
【００６２】
また、右側面板２４に形成された空気吸込口２０ａから吸い込まれた空気の一部は、隙間Ｇを通って上部第１熱交換部３１ａを通過する（図３の黒塗り矢印参照）。さらに、正面板２１と下部第１熱交換部３１ｂとの隙間を通って下部第１熱交換部３１ｂを通過する（図３の網掛け矢印参照）。このとき、熱交換器３０を通過する空気と熱交換器３０を構成するパイプ内を流れる冷媒との間では、熱交換が行われる。なお、下部第１熱交換部３１ｂへの空気の流通量は、小奥行き部４１の存在によってそれが無い状態よりも増加している。
【００６３】
そして、図４に示すように、熱交換後の空気は、ケーシング２０の中央付近へと向かうとともに、上方に向かって流れて送風ファン３６，３７の近傍に達し、送風ファン３６，３７のプロペラ翼３６ａ，３７ａによって上方に掻き出されるようにして、天板２５に形成された空気吹出口２０ｂを介してケーシング２０の外部へと吹き出される。
【００６４】
例えば、電装品箱４０の底面部４３２付近には、流線Ｆ（図４参照）のような気流が生じている。また、室外機１００の運転中は、送風ファン３６，３７の稼動により、電装品箱４０内部にも気流が形成される。具体的には、右側中部正面板２１ｄ及び右側下部正面板２１ｅに形成された開口部２８ａ，２８ｂ（図１参照）を介してケーシング２０の外部から内部へと吸い込まれた空気が、電装品箱４０内へと取り込まれる。電装品箱４０内に取り込まれる空気は、その多くが熱交換後ではなく、熱交換前の空気である。
【００６５】
電装品箱４０内に取り込まれた空気は、蓋部材４４０に形成されている開口部４４１（図５参照）を介して電装品箱４０の外部へと流出する。
【００６６】
（３）特徴
（３−１）
室外機１００では、電装品箱４０のうち小奥行き部４１は上部第１熱交換部３１ａと対向するものの、両者の間に隙間Ｇが設けられているので、熱交換面積の減少にはならず且つ小奥行き部４１の存在によって下部第１熱交換部３１ｂへの空気の流通が増加する。その結果、小奥行き部４１と上部第１熱交換部３１ａとが対向していない構成との対比において、同等程度の熱交換量が確保される。
【００６７】
（３−２）
室外機１００では、第１熱交換部３１を上部第１熱交換部３１ａと下部第１熱交換部３１ｂとに分割したことによって、上部第１熱交換部３１ａと小奥行き部４１との間の隙間を一定寸法に設定し易くなる。
【００６８】
（３−３）
室外機１００では、発熱量の大きいパワーデバイスを小奥行き部４１よりも通風量が大きい大奥行き部４２に配置することによって、適切な放熱性を確保することができる。
【００６９】
（４）変形例
（４−１）第１変形例
図８は、第２変形例に係る室外機１１０を天板側から視て、且つ天板、送風ファン等を除いた状態の当該室外機１１０の平面図。である。図８において、この室外機１１０では、第１熱交換部３１の一側端が正面板２１から離れる方向に傾斜している。
【００７０】
第１熱交換部３１の上部と小奥行き部４１との間の隙間は横に行くほど大きくなるので、一定寸法に設定することはできないが、第１熱交換部３１を上部と下部とに分割する必要がない分、熱交換器３０の製造コストを低減することができる。
【００７１】
（４−２）第２変形例
図９は、第２変形例に係る室外機１２０を右側面板側から視て、且つ右側面板、熱交換器、圧縮機等を除いた状態の当該室外機１２０の側面図である。図９において、この室外機１２０では、第１熱交換部３１の上端が正面板２１から離れる方向に傾斜している。
【００７２】
第１熱交換部３１の上部と小奥行き部４１との間の隙間は鉛直上方に行くほど大きくなるので、一定寸法に設定することはできないが、第１熱交換部３１を上部と下部とに分割する必要がない分、熱交換器３０の製造コストを低減することができる。
【産業上の利用可能性】
【００７３】
本発明は、電装品箱内部の通風性を簡易に高めることにより、電気部品の冷却を促すことができるという効果を有し、冷凍装置の室外ユニットとして有用である。
【符号の説明】
【００７４】
２０      ケーシング
２１      正面板（第１面）
３０      熱交換器
３１      第１熱交換部
３１ａ    上部第１熱交換部（第１熱交換部の上部）
３１ｂ    下部第１熱交換部（第１熱交換部の下部）
４０      電装品箱
４１      小奥行き部
４２      大奥行き部
１００    室外機
１１０    室外機
【先行技術文献】
【特許文献】
【００７５】
【特許文献１】特開２００７−２１８５３４号公報
【特許文献２】特開２０１３−  ７６４７８号公報
【図１】
2016099054.tif 000003
【図２】
2016099054.tif 000004
【図３】
2016099054.tif 000005
【図４】
2016099054.tif 000006
【図５】
2016099054.tif 000007
【図６】
2016099054.tif 000008
【図７】
2016099054.tif 000009
【図８】
2016099054.tif 000010
【図９】
2016099054.tif 000011